(57)【要約】【課題】  成形金型の費用を少なくすることができ、長尺の結束バンドを必要な長さに切断して使用することができると共に被結束部材を締め付ける際のバンドの摺動抵抗を小さくして容易に結束することができ、ワイヤハーネス等の線材や小物の結束に好適な止め具を提供する。【解決手段】  角筒形状をなし、一の対向する側壁の一側の側壁をなし、且つ一側開口端１１ａ側に連設され他側開口端１１ｂ側を自由端とされて彎曲可能な第１の舌片部１２と、対向する側壁の他側の側壁をなし、他側開口端側に連設され一側開口端側を自由端とされて湾曲可能な第２の舌片部１３と、第１の舌片部の内側面に形成され、一側開口端から他側開口端への結束バンドの挿通を許容し、逆方向への動きを禁止する第１の係止爪１２ｂと、第２の舌片部の内側面に形成され、他側開口端から一側開口端への結束バンドの挿通を許容し、逆方向への動きを禁止する第２の係止爪１３ｂとを備えた構成としている。【選択図】      図１
2005082237.tif 000002
【特許請求の範囲】
【請求項１】
略角筒形状をなし、一の対向する側壁の一側の側壁をなし、且つ一側開口端側に連設され他側開口端側を自由端とされて彎曲可能な第１の舌片部と、
前記対向する側壁の他側の側壁をなし、前記他側開口端側に連設され前記一側開口端側を自由端とされて湾曲可能な第２の舌片部と、
前記第１の舌片部の内側面に形成され、前記一側開口端から前記他側開口端への結束バンドの挿通を許容し、逆方向への動きを禁止する第１の係止爪と、
前記第２の舌片部の内側面に形成され、前記他側開口端から前記一側開口端への結束バンドの挿通を許容し、逆方向への動きを禁止する第２の係止爪と
を備えたことを特徴とする止め具。
【請求項２】
略角筒形状をなし、一の対向する側壁の一側の側壁をなし、且つ一側開口端側に連設され他側開口端側を自由端とされて彎曲可能な第１の舌片部と、前記対向する側壁の他側の側壁をなし、他側開口端側に連設され前記一側開口端側を自由端とされて湾曲可能な第２の舌片部と、前記第１の舌片部の内側面に形成され、前記一側開口端から前記他側開口端への結束バンドの挿通を許容し、逆方向への動きを禁止する第１の係止爪と、前記第２の舌片部の内側面に形成され、前記他側開口端から前記一側開口端への結束バンドの挿通を許容し、逆方向への動きを禁止する第２の係止爪とを有する止め具と、
帯状をなし被結束部材を結束して各端末が前記止め具の各開口端から挿通可能とされ、両面に前記第１の係止爪と第２の係止爪とに夫々係合可能な係合凹部が長手方向に多数設けられ、前記結束部材を締め付けて前記第１及び第２の係止爪と係合して前記止め具に保持される結束バンドと
から成ることを特徴とする結束部材。
【請求項３】
前記結束バンドは、前記係合凹部が両面に交互に設けられている請求項２記載の結束部材。
【発明の詳細な説明】
【技術分野】
【０００１】
本発明は、線材等の被結束部材をバンドにより簡単に結束するための止め具及びこれを用いた結束部材に関する。
【背景技術】
【０００２】
例えば、自動車のワイヤハーネスのように多数の線材を束ねる場合、図１１に示すようなワンピース形の結束バンド１が使用されている。この結束バンド１は、一側面に延長方向に係合凹部２ａが多数設けられたバンド部２と、バンド部２の基端に連設されてバンド部２を挿通する挿通孔３ａ及びこの挿通孔３ａ内にバンド部２の係合凹部２ａを係止する係止爪３ｂが設けられたバンド締付部３とが、可撓性を有する樹脂部材により一体に形成されている。この結束バンド１は、バンド部２により多数の線材等の被結束部材を束ねて先端部２ｂからバンド締付部３の挿通孔３ａに挿通させて締め付け、係止爪３ｂにより係合凹部２ａを係止した後、バンド締付部３の先端から突出したバンド部２の端末を切断する。
【０００３】
また、結束バンドの止め具として、四角形枠状の枠部と、この枠部の側面に夫々薄いヒンジ部を介して２本のバーとが一体に形成され、結束バンドの一端をループにして前記枠部を通し、前記ループの中にヒンジ部により１８０°折り返したバーを挿入して結束バンドを引っ張ることにより、結束バンドがロックされて緩まないようにした結束バンドの止め具がある。（例えば、特許文献１参照。）
【特許文献１】特開平８−２６３２７号公報
【発明の開示】
【発明が解決しようとする課題】
【０００４】
しかしながら、上記従来のワンピース形の結束バンド１は、バンド部２の長さが代わるだけでこれに応じた別の金型を製作しなければならず、多品種生産による金型の費用が嵩むという問題がある。また、バンド締付部３から突出したバンド部２の端末を切断して廃棄するためにバンド部の無駄が多い。
また、特開平８−２６３２７号公報に開示されている結束バンドの止め具は、段ボールの箱やパレットに積んだ貨物の荷崩れ防止等に使用するもので、形状が大きく、自動車のワイヤハーネス等の線材や小物の結束バンドの止め具としては不適当である。
【０００５】
本発明は、上述の点に鑑みてなされたもので、成形金型の費用を少なくすることができ、長尺の結束バンドを必要な長さに切断して使用することができると共に被結束部材を締め付ける際のバンドの摺動抵抗を小さくして容易に結束することができ、ワイヤハーネス等の線材や小物の結束に好適な止め具及びこれを用いた結束部材を提供することを目的する。
【課題を解決するための手段】
【０００６】
上記目的を達成するため、請求項１の発明は、略角筒形状をなし、一の対向する側壁の一側の側壁をなし、且つ一側開口端側に連設され他側開口端側を自由端とされて彎曲可能な第１の舌片部と、前記対向する側壁の他側の側壁をなし、前記他側開口端側に連設され前記一側開口端側を自由端とされて湾曲可能な第２の舌片部と、前記第１の舌片部の内側面に形成され、前記一側開口端から前記他側開口端への結束バンドの挿通を許容し、逆方向への動きを禁止する第１の係止爪と、前記第２の舌片部の内側面に形成され、前記他側開口端から前記一側開口端への結束バンドの挿通を許容し、逆方向への動きを禁止する第２の係止爪とを備えたことを特徴としている。
【０００７】
請求項２の発明は、略角筒形状をなし、一の対向する側壁の一側の側壁をなし、且つ一側開口端側に連設され他側開口端側を自由端とされて彎曲可能な第１の舌片部と、前記対向する側壁の他側の側壁をなし、他側開口端側に連設され前記一側開口端側を自由端とされて湾曲可能な第２の舌片部と、前記第１の舌片部の内側面に形成され、前記一側開口端から前記他側開口端への結束バンドの挿通を許容し、逆方向への動きを禁止する第１の係止爪と、前記第２の舌片部の内側面に形成され、前記他側開口端から前記一側開口端への結束バンドの挿通を許容し、逆方向への動きを禁止する第２の係止爪とを有する止め具と、帯状をなし被結束部材を結束して各端末が前記止め具の各開口端から挿通可能とされ、両面に前記第１の係止爪と第２の係止爪とに夫々係合可能な係合凹部が長手方向に多数設けられ、前記結束部材を締め付けて前記第１及び第２の係止爪と係合して前記止め具に保持される結束バンドとから成ることを特徴としている。
【０００８】
請求項３の発明は、前記結束バンドは、前記係合凹部が両面に交互に設けられていることを特徴としている。
結束バンドは、適宜の長さに切断され、被結束部材例えば、複数本の線材等を纏めて一巻きに束ね、一側の端末が止め具の一側の開口端から挿入されて第１の舌片部の係止爪に結束バンドの内側面の係合凹部を係合されて止め具に固定され且つ抜けが阻止される。次いで、結束バンドの他側の端末が前記止め具の他側の開口端から挿入されて前記一側の開口端から引き出され、前記電線を締め付けて第２の舌片部の係止爪に外側面の係合凹部が係合され且つ抜けが阻止される。これにより、結束バンドは、複数本の電線を締め付けた状態で前記止め具に固定される。結束バンドは、締め付け方向と止め具の挿通方向とが同じ方向となり、前記被結束部材を結束する力で締め付けることができ、結束するときの力の効率がよく、締め付けやすい。止め具は、第１、第２の舌片部及び第１、第２の係止爪が点対称に形成されており、何れの開口端から結束バンドの端末を挿通させてもよく、使い勝手がよく、作業性がよい。
【発明の効果】
【０００９】
請求項１の発明によれば、止め具は、第１、第２の各舌片部の下方が開口されている形状をなしていることで、金型構造がスライド等の複雑な機構を使用することなく基本的にはキャビティとコアの構造のみで構成が可能であり、安価で精度の高い金型の製作が可能であり、成形性もよい。
請求項２の発明では、長尺の結束バンドを必要な長さに切断して使用することができ、結束バンドの無駄を少なくすることができる。また、結束バンドの止め具の挿通方向と被結束部材を締め付ける際の締め付け方向とが同じ方向であるために結束バンドの摺動抵抗が小さく、効率よく締め付けることができ、容易に結束することができる。更に、止め具は、第１、第２の舌片部及び第１、第２の係止爪が点対称に形成されており、何れの開口端から結束バンドの端末を挿通させてもよく、使い勝手がよく、作業性の向上が図られる。また、自動車のワイヤハーネス等の線材や小物の結束に好適である。
【００１０】
請求項３の発明では、結束バンドの両面に交互に係合凹部を形成することで、係合凹部を深くすることが可能となり、これに伴い止め具の係止爪を深く係合させることが可能となり、前記止め具の高さを低くすることができ、小型化を図ることが可能となる。これにより、結束後における止め具のしまい込み寸法が小さくなり、他の部材との干渉等を少なくすることができると共に見栄えの向上が図られ、自動車のワイヤハーネス等の線材や小物の結束に好適である。
【発明を実施するための最良の形態】
【００１１】
【実施例】
【００１２】
以下、本発明の実施例を図面に基づいて説明する。図１は、本発明に係る止め具の平面図、図２は、図１に示す止め具の矢線II方向端面図、図３は、図１に示す止め具の矢線III−IIIに沿う断面図、図４は、図１に示す止め具の矢線IV−IVに沿う断面図である。図１乃至図４に示すように止め具１１は、後述する結束用のバンド１５（図５）を挿通させて被結束部材を締め付け固定するためのもので、横長の角筒形状をなし、一の対向する側壁例えば、上壁１２、下壁１３が夫々その全長の略半分強を切り欠かれた長さとされ、上壁１２の下方が開口され、下壁１３の上方が開口されている。上壁１２は、付け根部分１２ａが開口端１１ａ側に連設され、開口端１１ｂ側が自由端とされ、下壁１３は、付け根部分１３ａが開口端１１ｂ側に連設され、開口端１１ａ側が自由端とされて舌片状をなし（以下「舌片部１２、１３」という）、これらの舌片部１２、１３は、夫々付け根部分１２ａ、１３ａから外方、内方に湾曲可能とされている。
【００１３】
図３に示すように舌片部１２の内面には、係止爪１２ｂが長手方向に沿って所定のピッチで複数例えば、２つ形成されている。これらの係止爪１２ｂは、開口端１１ａ側から内方且つ中心に向かって傾斜面をなして立ち上り、先端から略垂直面をなして立ち下がる側面視略鋸歯状をなしており、開口端１１ａから開口端１１ｂへの結束バンドの挿通を許容し、前記結束バンドの係合凹部と係合し、且つ開口端１１ｂ側から開口端１１ａ側への前記結束バンドの移動（抜け）を禁止（阻止）するように形成されている。係止爪１２ｂは、その幅が図５及び図６に示す結束バンド１５の係合凹部１５ａ又は１５ｂの幅よりも狭く（例えば、１／２程度）、その高さが係合凹部１５ａ又は１５ｂの深さと略同じ又は僅かに低く設定されている。舌片部１２の先端内側縁部１２ｃは、当該舌片部１２の略半分程度の肉厚とされて段差をなし、先端が面取りされて曲面をなしている。
【００１４】
舌片部１３も舌片部１２と同様に内面に係止爪１３ｂが長手方向に沿って前記所定のピッチで２つ形成されており、これらの係止爪１３ｂは、開口端１１ｂ側から内方且つ中心に向かって傾斜面をなして立ち上り、先端から略垂直面をなして立ち下がる側面視略鋸歯状をなし、開口端１１ｂから開口端１１ａへの結束バンドの挿通を許容して前記結束バンドの係合凹部と係合し、且つ開口端１１ａ側から開口端１１ｂ側への前記結束バンドの移動（抜け）を禁止（阻止）するように形成されている。舌片部１３の先端内側縁部１３ｃは、当該舌片部１３の略半分程度の肉厚とされて段差をなし、先端が面取りされて曲面をなしている。これらの舌片部１２と１３とは図３に示すように点対称に形成されている。この止め具１１は、耐候性及び潤滑性を有する樹脂部材例えば、ポリアセタールにより一体に成形されている。従って、舌片部１２、１３は、弾性を有しており付け根部分１２ａ、１３ａから内方、外方に彎曲可能とされる。尚、係止爪１２ｂ、１３ｂは、２個に限るものではなく１個づつ設けてもよいが、複数（２つ以上）設けることで強度の向上が図られて好ましい。
【００１５】
止め具１１は、舌片部１２の下方が開口され、舌片部１３の上方が開口されている形状をなしていることで、金型構造がスライド等の複雑な機構を使用することなく基本的にはキャビティとコアの構造のみで構成が可能であり、安価で精度の高い金型の製作が可能であり、成形性もよい。
図５は、結束バンドの一部平面図、図６は、図５の結束バンドの矢線VI−VIに沿う断面図である。図５及び図６に示すように結束バンド１５は、図２に２点鎖線で示すようにその幅が、止め具１１の両側壁１４、１４の内面と僅かな隙間を存して挿通可能とされ、その厚みが二重に重ねた状態で上下の舌片部１２、１３の内面と夫々僅かな隙間を存して挿通可能とされている（図９）。結束バンド１５は、上下両面に係合凹部１５ａ、１５ｂが交互に前記舌片部１２、１３の係止爪１２ｂ、１３ｂのピッチと同じピッチで長手方向に形成されている。これらの係合凹部１５ａ、１５ｂの幅は、係止爪１２ｂ、１３ｂの約２倍程度とされ、且つ両側に耳部１５ｃが形成されて強度を確保されており、その深さは、係止爪１２ｂ、１３ｂの高さよりも僅かに深く形成されている。この結束バンド１５は、可撓性、耐候性及び潤滑性を有する例えば、ポリアミド樹脂部材（ナイロン）により長尺（数メートル乃至数十メートル以上の長さ）に形成されてボビン等に巻回され、適宜の長さに切断して使用される。
【００１６】
図７は、結束バンドの他の実施例を示し、結束バンド１６は、両面に対称位置に舌片部１２、１３の係止爪１２ｂ、１３ｂと係合する係合凹部１６ａ、１６ｂが係止爪１２ｂと１２ｂとのピッチの半分のピッチで長手方向に形成されており、対向する係合凹部１６ａと１６ｂとの間には底部を形成する隔壁１６ｄ及び両側部の耳部（図示せず）が設けられて強度が確保されている。従って、結束バンド１６は、結束バンド１５と同じ肉厚とした場合、係合凹部１６ａ、１６ｂの深さが係合凹部１５ａ、１６ａと比べて隔壁１６ｄの厚さ分だけ浅くなっている。
【００１７】
以下に止め具１１と結束バンド１５を使用した結束部材の使用例について説明する。
図８に示すように作業者は、適宜の長さに切断した結束バンド１５により被結束部材２１の電線２２を複数本纏めて一巻きに束ね、一側の端末１５ｄを図９に示すように止め具１１の開口端１１ｂから矢印Ａ向に挿入して舌片部１３の係止爪１３ｂに結束バンド１５の内側面の係合凹部１５ｂを係合させる。このとき端末１５ｄを止め具１１の開口端１１ａから適宜の長さ延出させることが好ましい。これにより、結束バンド１５の一側端末１５ｄが止め具１１の舌片部１３に固定され、且つ抜けが阻止される。
【００１８】
次いで、作業者は、結束バンド１５の他側の端末１５ｅを図９に示すように止め具１１の開口端１１ａから矢印Ｂ方向に挿入して開口端１１ｂから引き出し、図１０に示すように矢印Ｂ方向に引っ張り、電線２２を締め付けて舌片部１２の各係止爪１２ｂに外側面の係合凹部１５ａを係合させる。このとき、結束バンド１５は、一側端末１５ｄ上に他側端末１５ｅが重なることで２倍の厚みとなり、舌片部１２が弾性により付け根部分１２ａから外側に湾曲して結束バンド１５の挿通が容易となる。結束バンド１５の締め付けを停止すると、舌片部１２が弾性により元の状態に復帰して、係止爪１２ｂが結束バンド１５の対向する係合凹部１５ａに係合する。結束バンド１５の一側端末１５ｄを止め具１１の開口端１１ａ側から延出させ、当該開口端１１ａ側から挿入する他側端末１５ｅ側を前記一側端末１５ｄ側の上に重ねて厚みを増すことで、他側端末１５ｅ側の係合凹部１５ａに舌片部１２の係止爪１２ｂを深く係合させることができ、外れることが防止される。これにより、結束バンド１５が複数の電線２２を締め付けた状態で止め具１１に強固に固定され、且つ抜けが阻止される。結束後、止め具１１の開口端１１ｂから突出する結束バンド１５の端末１５ｅを適宜の長さに切断する。
【００１９】
結束バンド１５を締め付ける際に図９及び図１０に示すように結束バンド１５の締め付け方向と、結束バンド１５を止め具１１に挿通させる方向とが同じ方向となり、被結束部材２１を結束する力で締め付けることができ、結束するときの力の効率がよく、締め付けやすい。また、止め具１１、結束バンド１５が潤滑性を有し、更に係止爪１２ｂ、１３ｂの幅が係合凹部１５ａ、１５ｂの幅の略半分程度とされていることで、締め付ける際の係止爪１２ｂ、１３ｂと結束バンド１５との間の摺動抵抗が小さくなり作業性が向上する。また、止め具１１は、図３に示すように舌片部１２、１３及び係止爪１２ｂ、１３ｂが点対称に形成されていることで、使い勝手がよく、作業性の向上が図られる。これにより、自動車のワイヤハーネス等を簡単に結束することができる。
【００２０】
止め具１１及び結束バンド１５により結束されている複数の電線２２の中から特定の電線２１を外したり、或いは結束バンド１５による結束を解除する場合には、図９に２点鎖線で示すように舌片部１２の先端内側縁部１２ｃと結束ベルト１５との間の隙間に例えば、細いドライバー２３の先端を差し込む。このとき、舌片部１２の先端が面取りされて曲面をなしていることで、ドライバー２３の挿入が容易となる。次いで、ドライバー２３により舌片部１２を外側に湾曲させ、係止爪１２ｂを係合凹部１５ａから離隔させて係合を解除し、結束ベルト１５を点線で示す矢印Ｃ方向に引っ張る。これにより、止め具１１から結束バンド１５の端末１５ｅ側を簡単に外すことができ、作業性の向上が図られる。また、前記外した結束バンド１５を再度使用することができる。
【００２１】
図９に示すように結束バンドとして両面に交互に係合凹部１５ａ、１５ｂを形成したタイプの結束バンド１５を使用すると、係合凹部１５ａ、１５ｂを深くすることが可能となり、止め具１１の舌片部１２、１３の係止爪１２ｂ、１３ｂを深く係合させることが可能となり、止め具１１の高さを低くすることができ、止め具１１の小型化を図る上で好ましい。また、図７に示す結束バンド１６を使用する場合には、係合凹部１６ａ、１６ｂの各ピッチが係止爪１２ｂ、１３ｂのピッチの半分とされていることで、被結束部材の締付力の調整がし易い。
【図面の簡単な説明】
【００２２】
【図１】本発明に係る止め具の平面図である。
【図２】図１に示す止め具の矢線II方向端面図である。
【図３】図１に示す止め具の矢線III−IIIに沿う断面図である。
【図４】図１に示す止め具の矢線IV−IVに沿う断面図である。
【図５】本発明に係る結束部材の結束バンドの平面図である。
【図６】図５に示すバンドの矢線VI−VIに沿う断面図である。
【図７】本発明に係る結束バンドの他の実施例を示す断面図である。
【図８】図１に示す止め具と図４に示す結束バンドから成る結束部材の使用例を示す説明図である。
【図９】図８に示す止め具と結束バンドとの係合状態を示す説明図である
【図１０】図８に示す結束部材により被結束部材を結束した状態を示す説明図である。
【図１１】従来の結束バンドの一例を示す斜視図である。
【符号の説明】
【００２３】
１１  止め具
１２、１３  舌片部
１２ｂ、１３ｂ  係止爪
１５、１６  結束バンド
１５ａ、１５ｂ、１６ａ、１６ｂ  係合凹部
２１  被結束部材
２２  電線
【図１】
2005082237.tif 000003
【図２】
2005082237.tif 000004
【図３】
2005082237.tif 000005
【図４】
2005082237.tif 000006
【図５】
2005082237.tif 000007
【図６】
2005082237.tif 000008
【図７】
2005082237.tif 000009
【図８】
2005082237.tif 000010
【図９】
2005082237.tif 000011
【図１０】
2005082237.tif 000012
【図１１】
2005082237.tif 000013